(57)【要約】【課題】使用後の茶葉を簡単に外部に排出することができる新規な急須を提供する。【解決手段】茶葉及び湯水が収容される収容空間を備え上部には第１の開口２ａが形成され側壁部２ｃには第２の開口２ｇが形成された急須本体２と、この第１の開口２ａを閉塞する蓋体３と、上記急須本体１の側壁部２ｂの上端側より内側に突出し上面に上記蓋体３が載置されるとともに内周では上記第１の開口を形成する蓋載置部２ｄと、上記急須本体２に基端が固定され内部は該急須本体２と上記第２の開口２ｇを介して連通してなり先端からお茶を排出する注ぎ口５とを備え、上記蓋載置部２ｄには切欠き２ｈが形成され、この切欠き２ｈが形成された部位では、上記急須本体２の側壁部２ｂの上部が急須本体２の上部とされている。【選択図】        図１
0003121169.tif 000002
【実用新案登録請求の範囲】
【請求項１】
茶葉及び湯水が収容される収容空間を備え上部には第１の開口が形成され側壁部には第２の開口が形成された急須本体と、この第１の開口を閉塞する蓋体と、上記急須本体の側壁部の上端側より内側に突出し上面に上記蓋体が載置されるとともに内周では上記開口を形成する蓋載置部と、上記急須本体に基端が固定され内部は該急須本体と上記第２の開口を介して連通してなり先端からお茶を排出する注ぎ口とを備え、
上記蓋載置部には切欠きが形成され、この切欠きが形成された部位では、上記急須本体の側壁部の上部が急須本体の上部とされていることを特徴とする急須。
【請求項２】
前記切欠きは、前記急須本体に対して前記注ぎ口の形成位置とは反対側に形成されてなることを特徴とする請求項１記載の急須。
【請求項３】
前円形状の底板部と、この底板部の外周から起立してなる側壁部とを備え、上記底板部は中心が皿状に凹んでなるとともに、上記側壁部は底板部側から中途部にかけて徐々に拡径し、該中途部から上方にかけては徐々に縮径されてなり、該急須本体の内部はほぼドーム型とされてなることを特徴とする請求項１又は２記載の急須。
【請求項４】
前記第２の開口は、フッ素樹脂がコーティングされた茶漉し網により閉塞されてなることを特徴とする請求項１，２又は３記載の急須。
【考案の詳細な説明】
【技術分野】
【０００１】
本考案は、お茶を入れる急須に関する。
【背景技術】
【０００２】
急須は、お茶を入れる道具として古くから使用されており、これまで各種のものが提案され使用されているが、基本的な構成としては、茶葉や湯水が収容される急須本体と、この急須本体の開口を閉塞する蓋体と、先端から急須本体内のお茶を排出する注ぎ口とを備えている。また、上記急須本体に把手が形成されているものも存在する。そして、こうした急須の使用方法は、急須本体内に茶葉を適量入れ、その後に所定の温度のお湯を注ぎ、その後該急須を傾け、注ぎ口から湯のみにお茶を注ぐ方法が採られている。そして、１回又は複数回に亘って、上述した方法にてお茶を入れた後に、上記内部の茶葉を急須本体から排出する場合には、上記蓋体を取り除くとともに急須を傾け、急須本体に形成された開口から排出する。
【考案の開示】
【考案が解決しようとする課題】
【０００３】
しかしながら、上述した従来の急須では、上述のように使用後の茶葉を排出する場合には、上記蓋体が載置される載置部が急須本体の側壁部の上端から内側にリング状に突出していることから、この突出した部位に茶葉が堰き止められ、全ての茶葉を早期に排出することができない場合が多い。
【０００４】
そこで、本考案は、上述した従来の急須が有する課題を解決するために提案されたものであって、使用後の茶葉を簡単に外部に排出することができる新規な急須を提供することを目的とするものである。
【課題を解決するための手段】
【０００５】
本考案は、上述した目的を達成するために提案されたものであり、第１の考案（請求項１記載の考案）は、茶葉及び湯水が収容される収容空間を備え上部には第１の開口が形成され側壁部には第２の開口が形成された急須本体と、この第１の開口を閉塞する蓋体と、上記急須本体の側壁部の上端側より内側に突出し上面に上記蓋体が載置されるとともに内周では上記開口を形成する蓋載置部と、上記急須本体に基端が固定され内部は該急須本体と上記第２の開口を介して連通してなり先端からお茶を排出する注ぎ口とを備え、上記蓋載置部には切欠きが形成され、この切欠きが形成された部位では、上記急須本体の側壁部の上部が急須本体の上部とされていることを特徴とするものである。
【０００６】
この第１の考案に係る急須は、その素材が特に限定されるものではなく、一般的な陶磁器やガラスのみならず、樹脂からなるものであっても良い。また、これまでの急須のように把手が必ずしも形成されている必要はない。そして、この考案を構成する切欠きは、急須を傾けることにより、使用後の茶葉が外部に排出できる程度のものであれば良く、少なくとも開口の周回り方向に１ｃｍ程度は必要であり、上限としては開口の内径の約４０％程度とすることが好ましい。また、こうした切欠きは、必ずしも単数に限定されず、複数形成されているものであっても良い。さらに、この切欠きの形成位置は、第２の考案のように、上記注ぎ口の形成位置とは反対側（注ぎ口から１８０度ずれた位置）に形成されているものに限られず、該注ぎ口から９０度ずれた位置とされていても良い。そして、このように構成された急須によれば、上記切欠きが最も低くなるように、急須を傾けることにより、使用後の茶葉は、急須本体の底板部上から側壁部の内側を通り、上記蓋載置部を乗り越えることなく、水と共にそのまま外部に流れ出る（排出される）。
【０００７】
また、第２の考案（請求項２記載の考案）は、上記第１の考案において、前記切欠きは、前記急須本体に対して前記注ぎ口の形成位置とは反対側に形成されてなることを特徴とするものである。
【０００８】
上記注ぎ口の形成位置とは反対側とは、該注ぎ口の形成位置から１８０度ずれた位置であり、この第２の考案によれば、お茶を湯のみ等に注ぐ場合とは反対側に傾斜させることにより、使用後の茶葉が排出される。
【０００９】
また、第３の考案（請求項３記載の考案）は、上記第１又は第２の考案において、前円形状の底板部と、この底板部の外周から起立してなる側壁部とを備え、上記底板部は中心が皿状に凹んでなるとともに、上記側壁部は底板部側から中途部にかけて徐々に拡径し、該中途部から上方にかけては徐々に縮径されてなり、該急須本体の内部はほぼドーム型とされてなることを特徴とするものである。
【００１０】
この第３の考案では、急須本体の内部形状がほぼドーム型とされてなるものであり、特に、該急須本体を構成する底板部の上面形状は、中央が最も低くなるよう皿状に成形されていることが特徴である。
【００１１】
また、第４の考案（請求項４記載の考案）は、上記第１，第２又は第３の考案において、前記第２の開口は、フッ素樹脂がコーティングされた茶漉し網により閉塞されてなることを特徴とするものである。
【００１２】
この茶漉し網の基材は、鉄又はステンレススチール等の金属であり、こうした金属の表目にフッ素樹脂が被覆（コーティング）されている。なお、この茶漉し網は、少なくとも、上記注ぎ口に連通する第２の開口を急須本体内から閉塞するものであれば良く、その大きさや形状は特に限定されるものではない。
【考案の効果】
【００１３】
上記第１の考案（請求項１記載の考案）に係る急須によれば、切欠きが最も低くなるように、急須を傾けることにより、使用後の茶葉は、急須本体の底板部上から側壁部の内側を通り、上記蓋載置部を乗り越えることなく、水と共にそのまま外部に流れ出る（排出される）。したがって、この考案によれば、使用後の茶葉の排出作業が面倒なものとならず、且つ茶葉の排出に多くの水を必要としない。
【００１４】
また、第２の考案（請求項２記載の考案）によれば、お茶を湯のみ等に注ぐ場合とは反対側に傾斜させることにより、使用後の茶葉が排出されることから、注ぎ口側に付着した茶葉を有効に排出することができ、極めて使い勝手が良いものとなる。
【００１５】
また、第３の考案（請求項３記載の考案）では、急須本体の内部形状がほぼドーム型とされてなることから、茶葉を急須本体内に入れた後に、お湯を内部に注いだ場合、急須本体内において（仮想的な）水平方向の軸を中心にお湯及び茶葉が回転し、或いは、お湯を内部に注いだ後に急須全体を軽く回すことにより、（仮想的な）鉛直方向の軸を中心に、お湯と茶葉が回転することとなり（所謂良好な湯周りを実現することができ）、おいしいお茶を喫することが可能となる。
【００１６】
また、第４の考案（請求項４記載の考案）では、第２の開口は、フッ素樹脂がコーティングされた茶漉し網により閉塞されてなることから、使用後の茶葉が上記茶漉し網の内側に付着し、排出が困難となる事態を有効に防止することができるとともに、お湯を注いだ際においても、お湯の流れにより茶漉し網から容易に茶葉が剥離・離間し、該茶葉に対するお湯の接触面積も増大することから、より一層おいしいお茶を喫することが可能となる。
【考案を実施するための最良の形態】
【００１７】
以下、本考案を実施するための最良の形態に係る急須１を、図面を参照しながら詳細に説明する。
【００１８】
この急須１は、陶磁器を素材とするものであって、図１に示すように、上部に第１の開口２ａが形成された急須本体２と、蓋体３とを備えてなるものであり、上記急須本体２には、把手４と、注ぎ口５が形成されている。上記急須本体２は、円形状の底板部２ｂと、この底板部２ｂの周囲から起立してなる側壁部２ｃと、この側壁部２ｃの上端に形成されている蓋載置部２ｄとを備えている。上記底板部２ｂは、図２に示すように、皿状に成形されてなるものであり、上面の中央は最も低く、この中央から外側にかけて徐々に高く成形され、底面の形状のこの上面の形状に対応したものとされている。なお、この急須本体２の下面には、上記底板部２ｂの周囲から下方に突出してなるリング状の台座部２ｅが形成されている。また、上記底板部２ｂの上面であって、後述する第２の開口の近傍には、後述する茶漉し網を係止する凸部２ｆが形成されている。
【００１９】
また、上記底板部２ｂの外周から起立している側壁部２ｃは、上記底板部２ｂ側から上方の中途部にかけて徐々に拡径され、該中途部から上方にかけては徐々に縮径されており、上記底板部２ｂと側壁部２ｃ全体の形状、すなわちこの急須本体２の内部形状は、ほぼドーム型とされている。また、上記側壁部２ｃであって、上記凸部２ｆの近傍には、第２の開口２ｇが形成され、該側壁部２ｃの外側には、この第２の開口２ｇを閉塞するように、上記注ぎ口５が形成されている。この注ぎ口５は、上記第２の開口２ｇを介して、急須本体２ｂ内のお茶を外部に供給する管状の部材であり、基端の内径は、上記側壁部２ｃに形成された第２の開口２ｇの内径に等しく、一方先端に形成された口５ａの内径は、基端側の内径との比がほぼ５：１とされ、さらに、上記口５ａを形成する先端面と外周面との角度は鋭角とされている。
【００２０】
また、上記側壁部２ｃには、上記第２の開口２ｇを急須本体２の内側から閉塞する茶漉し網６が固定されている。この茶漉し網６は、細かい開口（符号は省略する。）を備えた網であり、ステンレススチールを基材とするとともに表面にはフッ素樹脂がコーティングされている。なお、この茶漉し網６は、後述する蓋載置部２ｄの下面と上記凸部２ｆにより挟まれた状態で取り付けられている。
【００２１】
また、上記側壁部２ｃの上端には、蓋載置部２ｄが形成されている。この蓋載置部２ｄは、蓋体３が載置支持される部位であり、図２に示すように、上記側壁部２ｃの上端側中途部から内側に突出している。そして、この急須本体２では、上記蓋載置部２ｄに切欠き２ｈが形成されている。すなわち、この急須本体２には、上記蓋載置部２ｄが形成されていない部位がある。この切欠き２ｈは、上記注ぎ口５の形成位置とは反対側（注ぎ口５とは１８０度ずれた位置）に形成されているものであり、上記側壁部２ｂの上端には何ら内側に突出するものがない。なお、この切欠き２ｈの形成範囲は、上記急須本体２の内周に対して約１／５程度とされている。
【００２２】
また、上記把手４は、図１に示すように、上記注ぎ口５の形成位置とは９０度ずれた位置に形成されている。また、上記蓋体３は、上記側壁部２ｂの内径にほぼ等しい外径を有する円盤部３ａと、この円盤部３ａの中央に形成された摘み部３ｂとから構成され、上記円盤部３ａには、小さな空気穴３ｃが形成されている。
【００２３】
したがって、上述した実施の形態に係る急須１によれば、図示しない茶葉を急須本体２内に入れ、次いでお湯を注ぐと、該急須本体２の内部は、上述したようにドーム型とされている（特に、底板部２ｂは皿状に成形されている）ことから、注がれたお湯は水平方向を軸に回転することとなり（所謂湯回りが良好となり）、おいしいお茶を入れることができる。また、お茶を図示しない湯のみなどに注ぐ場合には、注ぎ口５の口５ａから吐出されたお茶の液垂れがない。さらに、この急須１では、お茶を注ぎきった後に、再びお湯を急須本体２内に注いだ場合、上記茶漉し網６はフッ素樹脂がコーティングされていることから、茶葉が該茶漉し網６に付着することを防止できるので、お湯と茶葉との接触面積にロスがなく、さらにおいしいお茶を入れることが可能となる。
【００２４】
またさらに、上記使用した茶葉を急須本体２内から排出する場合、前述したように、該急須本体２には切欠き２ｈが形成されていることから、蓋載置部２ｄが邪魔になって茶葉を排出できない事態を防止することができ、図３に示すように簡単に排出すことができる。このため、使用後の茶葉を排出する際に、何度も湯水を使用する必要がなくなり極めて使い勝手の良いものとすることができる。特に、上記実施の形態に係る急須１では、上記切欠き２ｈは、注ぎ口５の形成位置とは反対側に形成されていることから、注ぎ口５側から移動した湯水がそのまま切欠き２ｈから排出することができるので、より一層使用した茶葉を簡単に排出することができる。
【００２５】
なお、上記実施の形態では、把手４が形成されているが、本考案に係る急須は必ずしも把手４が形成されているものに限定されるものではなく、また、急須１の素材も陶磁器に限定されるものではない。
【図面の簡単な説明】
【００２６】
【図１】本考案の実施の形態に係る急須を急須本体と蓋体とに分離して示す斜視図である。
【図２】急須本体の断面図である。
【図３】茶葉を排出する状態を示す断面図である。
【符号の説明】
【００２７】
１    急須
２    急須本体
２ａ    第１の開口
２ｂ    底板部
２ｃ    側壁部
２ｄ    蓋載置部
２ｇ    第２の開口
２ｈ    切欠き
３    蓋体
５    注ぎ口
【図１】
0003121169.tif 000003
【図２】
0003121169.tif 000004
【図３】
0003121169.tif 000005